【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
少なくとも２つのハードウェアリソースを含むハードウェア層と、
前記少なくとも２つのハードウェアリソースに対応する少なくとも２つのリソース機器コンポーネントを含むサーバ実行ファイルと、
動的リソース割当てコンポーネントと
を含む、自動試験システム。
【請求項２】
少なくとも２つの仮想複合機器コンポーネントをさらに含む、請求項１に記載の自動試験システム。
【請求項３】
前記動的リソース割当てコンポーネントが、全ての利用可能なリソースおよびそれらの現在の状態のリストを保持する、請求項１または２に記載の自動試験システム。
【請求項４】
前記動的リソース割当てコンポーネントが、既知の機器のリストを保持する、請求項１または２に記載の自動試験システム。
【請求項５】
前記動的リソース割当てコンポーネントが、仮想−物理接続の可能性のリストを保持する、請求項１または２に記載の自動試験システム。
【請求項６】
前記動的リソース割当てコンポーネントが、仮想−物理リソースアドレスのマップを構築する、請求項１または２に記載の自動試験システム。
【請求項７】
前記動的リソース割当てコンポーネントが、リソースコンポーネントの予約および解放作業を行う、請求項１または２に記載の自動試験システム。
【請求項８】
前記動的リソース割当てコンポーネントが、リソースコンポーネントを動的に予約した後に前記コンポーネントを利用可能なリソースプールに返す、請求項７に記載の自動試験システム。
【請求項９】
テスターのジョブ言語フィルタ、仮想複合機器の言語環境用アドインコンポーネント、仮想複合機器のデバッグ用アドインコンポーネント、および仮想複合機器コンポーネントのうちの少なくとも１つを含む、請求項１または２に記載の自動試験システム。
【請求項１０】
既知の自動試験装置をエミュレートするように構成された、請求項９に記載の自動試験システム。
【請求項１１】
試験言語、試験開発環境、ハードウェア機器の機能、および機器のデバッグ機能のうちの少なくとも１つを含む、既知の自動試験装置をエミュレートするように構成された、請求項１０に記載の自動試験システム。
【請求項１２】
サーバとして機能するように構成された、請求項１または２に記載の自動試験システム。
【請求項１３】
複数のクライアントと情報のやりとりを並行して行うように構成された、請求項１２に記載の自動試験システム。
【請求項１４】
複数のクライアントと情報のやりとりを仮想的に並行して行うように構成された、請求項１２に記載の自動試験システム。
【請求項１５】
複数のジョブプログラムを仮想的に並行して実行するように構成された、請求項１２に記載の自動試験システム。
【請求項１６】
複数のデバッグ環境コンポーネントを仮想的に並行して実行するように構成された、請求項１２に記載の自動試験システム。
【請求項１７】
複数のクライアントと情報のやりとりを行い、複数の場所および地域言語で実行する、前記サーバとして実行するように構成された、請求項１２に記載の自動試験システム。
【請求項１８】
任意のＴＣＰ／ＩＰ通信経路上で実行するように構成された、請求項１２に記載の自動試験システム。
【請求項１９】
自動試験機器に使用する複合機器コンポーネントであって、
少なくとも２つの試験要素に関連する少なくとも２つのリソース機器コンポーネントと、
双方向性オブジェクトを形成するために少なくとも２つの前記リソース機器コンポーネントを組み合わせるための複合機器テンプレートと
を含む、複合機器コンポーネント。
【請求項２０】
少なくとも１つの前記試験要素が、ハードウェア試験要素である、請求項１９に記載の複合機器コンポーネント。
【請求項２１】
少なくとも１つの前記試験要素が、ハードウェア−ソフトウェア複合の試験要素を含む、請求項１９に記載の複合機器コンポーネント。
【請求項２２】
前記ハードウェア−ソフトウェア複合の試験要素が、アナログ−デジタル変換器（ＡＤＣ）および高速フーリエ変換（ＦＦＴ）技術を使用したアナライザを含む、請求項２１に記載の複合機器コンポーネント。
【請求項２３】
前記双方向性オブジェクトが、Ｔｅｒａｄｙｎｅ社の試験システムにおいて提供される定義を含む、請求項１９に記載の複合機器コンポーネント。
【請求項２４】
前記リソース機器コンポーネントが、Ｔｅｒａｄｙｎｅ社の試験システムの言語によって制御される、請求項２３に記載の複合機器コンポーネント。
【請求項２５】
前記双方向性オブジェクトが、ＬＴＸ試験システムにおいて提供される定義を含む、請求項１９に記載の複合機器コンポーネント。
【請求項２６】
前記リソース機器コンポーネントが、ＬＴＸ試験システムの言語によって制御される、請求項２５に記載の複合機器コンポーネント。
【請求項２７】
前記双方向性オブジェクトが、Ｃｒｅｄｅｎｃｅ社の試験システムにおいて提供される定義を含む、請求項１９に記載の複合機器コンポーネント。
【請求項２８】
前記リソース機器コンポーネントが、Ｃｒｅｄｅｎｃｅ社の試験システムの言語によって制御される、請求項２７に記載の複合機器コンポーネント。
【請求項２９】
前記双方向性オブジェクトが、特別に設計された試験システムにおいて提供される定義を含む、請求項１９に記載の複合機器コンポーネント。
【請求項３０】
前記リソース機器コンポーネントが、前記特別に設計された試験システムの言語によって制御される、請求項２９に記載の複合機器コンポーネント。
【請求項３１】
前記試験要素がハードウェアサブコンポーネントである、請求項１９、２３、２５、および２７に記載の複合機器コンポーネント。
【請求項３２】
前記試験要素がハードウェアコンポーネントである、請求項１９、２３、２５、および２７に記載の複合機器コンポーネント。
【請求項３３】
前記ハードウェアコンポーネントのうちの少なくとも１つがハイレベルの個別機器である、請求項３２に記載の複合機器コンポーネント。
【請求項３４】
前記ハイレベルの個別機器がデジタル式複合メータである、請求項３３に記載の複合機器コンポーネント。
【請求項３５】
前記ハイレベルの個別機器が電圧源である、請求項３３に記載の複合機器コンポーネント。
【請求項３６】
前記ハイレベルの個別機器が周波数発生器である、請求項３３に記載の複合機器コンポーネント。
【請求項３７】
自動試験機器に使用する動的リソース割当てコンポーネントであって、
リソース機器コンポーネントの可用性ステータスを含むそれらのリストと、
仮想複合物理的リソースアドレスのマップと
を含む、動的リソース割当てコンポーネント。
【請求項３８】
前記リソース機器コンポーネントのそれぞれが、少なくとも２つの試験要素に関連する、請求項３７に記載の動的リソース割当てコンポーネント。
【請求項３９】
自動試験機器に使用するサイトコンポーネントであって、
サーバのアドレス空間にロードするためのダイナミックリンクライブラリを含む試験プログラムコンポーネントと、
前記試験プログラムをそのアドレス空間にロードし、試験プログラム機能を実行するように構成されたプログラミング環境コンポーネントと
を含む、サイトコンポーネント。
【請求項４０】
試験プログラムコンポーネントおよび前記プログラミング環境コンポーネントが、前記テスターのリモートオペレーションに対してサーバ外部で実行するための実行ファイルとして構築される、請求項３９に記載のサイトコンポーネント。
【請求項４１】
自動試験機器に使用するサーバ実行ファイルであって、
少なくとも２つのリソース機器コンポーネントと、
複合機器コンポーネントと、
動的リソース割当てコンポーネントと、
サイトコンポーネントと
を含む、サーバ実行ファイル。
【請求項４２】
前記複合機器コンポーネントが、
少なくとも２つの試験要素に関連する少なくとも２つのリソース機器コンポーネントと、
双方向性オブジェクトを形成するために少なくとも２つの前記リソース機器コンポーネントを組み合わせるための複合機器テンプレートとを含む、請求項４１に記載のサーバ実行ファイル。
【請求項４３】
前記動的リソース割当てコンポーネントが、
リソース機器コンポーネントの可用性ステータスを含むそれらのリストと、
仮想複合物理的リソースのマップとを含む、請求項４２または４３に記載のサーバ実行ファイル。
【請求項４４】
複数の被試験装置（ＤＵＴ）を作動するための自動試験方法であって、
少なくとも２つの試験要素を含むハードウェア層と、前記少なくとも２つの試験要素に対応する少なくとも２つのリソース機器コンポーネント含むサーバ実行ファイルと、動的リソース割当てコンポーネントとを提供するステップと、
少なくとも１つの複合機器コンポーネントの割当てを検査するステップと、
前記複合機器コンポーネントに対応するインターフェースの仕様を受信するステップと、
前記対応するリソース機器コンポーネントを予約するステップと、
ＤＵＴを作動するステップと、
前記対応するリソース機器コンポーネントを解放するステップと
を包含する、自動試験方法。
【請求項４５】
複数の一意のＤＵＴを作動するステップをさらに包含する、請求項４４に記載の自動試験方法。
【請求項４６】
全ての利用可能なリソースおよびそれらの現在の状態のリストを保持するステップを包含する、請求項４４に記載の自動試験方法。
【請求項４７】
既知の機器のリストを保持するステップを包含する、請求項４６に記載の自動試験方法。
【請求項４８】
仮想−物理接続の可能性のリストを保持するステップを包含する、請求項４６に記載の自動試験方法。
【請求項４９】
仮想−物理リソースのアドレスマップを構築するステップを包含する、請求項４６に記載の自動試験方法。
【請求項５０】
リソースコンポーネントを予約するステップおよび解放するステップを包含する、請求項４６に記載の自動試験方法。
【請求項５１】
自動試験システムのためのジョブプログラムを作成する方法であって、
テスタージョブプログラムを作成するステップと、
テスタージョブプログラムをフィルタ処理するステップと、
フィルタ処理したジョブプログラムをプログラム開発環境へロードするステップと、
前記プログラムを実行するステップと
を包含する、方法。
【請求項５２】
複数のサブプログラムを仮想的に並行して実行するように適合された請求項１２に記載の自動試験システムであって、ジョブプログラムは、前記サブプログラムから形成される、自動試験システム。